(57)【特許請求の範囲】
【請求項１】
１以上の家庭電気機器と近距離無線通信を用いて通信するための通信方法であって、
ユーザから設定動作データ取得指令または動作設定指令の入力を受け付け、
前記設定動作データ取得指令が入力されると、前記家庭電気機器へ、前記電気機器の実行されるべき動作を定義するデータである設定動作データを要求し、
前記家庭電気機器から前記要求に応じた設定動作データを受信し、
該受信した設定動作データを記憶装置に記憶させ、
前記動作設定指令が入力されると、前記記憶装置に記憶された設定動作データを前記家庭電気機器へ送信する通信方法。
【請求項２】
前記設定動作データを受信するときに、さらに前記家庭電気機器の識別情報を受信し、
前記受信した設定動作データに前記識別情報を関連付けて前記記憶装置に記憶させる、請求項１に記載の通信方法。
【請求項３】
前記記憶された設定動作データを前記家庭電気機器へ送信するときに、当該設定動作データと関連付けられた識別情報が、前記送信する相手先である家庭電気機器の識別情報と一致するか否かを確認し、
一致する場合に、前記設定動作データを前記相手先へ送信する、請求項２に記載の通信方法。
【請求項４】
前記記憶された前記設定動作データを選択する選択情報を伴って前記動作設定指令の入力を受け付け、
前記選択情報を伴って前記動作設定指令の入力を受け付けると、前記記憶された設定動作データのうちの前記選択情報を伴って動作設定指令が入力された前記設定動作データを前記家庭電気機器へ送信する、請求項１乃至３の何れかに記載の通信方法。
【請求項５】
前記受信した設定動作データをユーザが識別するための設定動作データ識別情報の入力を受け付け、
前記受信した設定動作データ、前記受信した識別情報及び前記入力を受け付けた設定動作データ識別情報を互いに関連付けて前記記憶装置に記憶させる、請求項２に記載の通信方法。
【請求項６】
ネットワークを介してサーバに接続し、
前記家庭電気機器から前記設定動作データを受信すると、前記受信した設定動作データを前記サーバへ送信する、請求項１乃至５の何れかに記載の通信方法。
【請求項７】
１以上の家庭電気機器と近距離無線通信を用いて通信する携帯端末で実行されるコンピュータプログラムであって、
ユーザから設定動作データ取得指令または動作設定指令の入力を受け付けるステップと、
前記設定動作データ取得指令が入力されると、前記家庭電気機器へ、前記家庭電気機器の実行されるべき動作を定義するデータである設定動作データを要求するステップと、
前記家庭電気機器から前記要求に応じた設定動作データを受信するステップと、
該受信した設定動作データを前記携帯端末が備える記憶部に記憶させるステップと、
前記動作設定指令が入力されると、前記記憶部に記憶された設定動作データを前記家庭電気機器へ送信するステップとを含むコンピュータプログラム。
【請求項８】
近距離無線通信により１以上の家庭電気機器と接続される携帯端末であって、
前記家庭電気機器の機器側通信部と前記近距離無線通信を行うための端末側第１通信部と、
ユーザから設定動作データ取得指令と動作設定指令との入力を受け付けるための入力部と、
データを記憶するデータ記憶部と、
前記入力部から設定動作データ取得指令が入力されると、前記端末側第１通信部によって前記家庭電気機器へ、前記家庭電気機器の実行されるべき動作を定義するデータである設定動作データを送信することを要求し、前記端末側第１通信部によって前記家庭電気機器から前記要求に応じた設定動作データを受信すると、該受信した設定動作データを前記データ記憶部に記憶させ、前記入力部から動作設定指令が入力されると、前記データ記憶部に記憶された設定動作データを前記端末側第１通信部によって前記家庭電気機器へ送信するデータ処理部と、を備える携帯端末。
【請求項９】
近距離無線通信により携帯端末と接続される家庭電気機器であって、
前記家庭電気機器のある動作を定義するデータを記憶することによって当該データで定義される動作を実行されるべき動作として設定する動作設定部と、
ユーザが操作して実行されるべき動作を前記動作設定部によって設定するための操作部と、
前記設定された動作（設定動作）を定義するデータ（設定動作データ）に従って該設定動作を実行するよう前記家庭電気機器を制御する機器制御部と、
近接無線通信を用いて、前記携帯端末から設定動作データ送信要求を受信すると、前記動作設定部に記憶された設定動作データを送信し、前記携帯端末から前記設定動作データを受信すると、該受信した設定動作データにより定義された動作を、実行されるべき前記家庭電気機器の動作として設定するための機器側通信部と、を備える家庭電気機器。
【請求項１０】
前記設定動作データを送信するときに、さらに前記家庭電気機器の識別情報を送信する請求項９に記載の家庭電気機器。
【請求項１１】
前記機器側通信部は、設定動作データを受信するときに当該設定動作データと関連付けられた識別情報を受信し、前記受信した識別情報と受信する相手先である家庭電気機器の識別情報とが一致するか否かを確認し、
前記機器側通信部は、一致する場合に、該受信した設定動作データを前記動作設定部によって記憶させる請求項１０に記載の家庭電気機器。
【請求項１２】
１以上の家庭電気機器と、近距離無線通信により前記１以上の家庭電気機器と接続される携帯端末と、を備え、
各前記家庭電気機器は、前記家庭電気機器のある動作を定義するデータを記憶することによって当該データで定義される動作を実行されるべき動作として設定する動作設定部と、ユーザが操作して実行されるべき動作を前記動作設定部によって設定するための操作部と、前記設定された動作（以下、設定動作という）を定義するデータ（以下、設定動作データという）に従って該設定動作を実行するよう前記家庭電気機器を制御する機器制御部と、前記携帯端末の端末側第１通信部と前記近距離無線通信を行うための機器側通信部と、を備え、
前記携帯端末は、前記家庭電気機器の機器側通信部と前記近距離無線通信を行うための前記端末側第１通信部と、ユーザが設定動作データ取得指令と動作設定指令とを入力するための入力部と、前記入力部から入力された設定動作データ取得指令又は動作設定指令に応じてデータを処理するデータ処理部と、前記データ処理部で処理されたデータを記憶するデータ記憶部と、を備え、
前記携帯端末のデータ処理部は、前記入力部から設定動作データ取得指令が入力されると、前記端末側第１通信部によって設定動作データ送信要求を送信するよう構成され、且つ前記家庭電気機器の機器側通信部は、前記携帯端末から設定動作データ送信要求を受信すると、前記動作設定部に記憶された設定動作データを送信するよう構成され、且つ前記携帯端末のデータ処理部は、前記端末側第１通信部によって前記家庭電気機器から設定動作データを受信すると、該受信した設定動作データを前記データ記憶部に記憶させるよう構成され、且つ前記携帯端末の前記データ処理部は、前記入力部から動作設定指令が入力されると、前記データ記憶部に記憶された設定動作データを前記端末側第１通信部によって送信するように構成され、且つ前記家庭電気機器の機器側通信部は、前記携帯端末から前記設定動作データを受信すると、該受信した設定動作データにより定義された動作を、実行されるべき前記家庭電気機器の動作として設定するように構成されている、家庭電気機器の動作設定システム。
【請求項１３】
前記家庭電気機器の機器側通信部は、前記動作設定部に記憶された設定動作データを送信するときに、自身が属する家庭電気機器の識別情報を送信するよう構成され、
前記携帯端末のデータ処理部は、前記設定動作データに前記識別情報を関連付けて前記データ記憶部に記憶させるように構成され、
前記機器側通信部により受信され且つ前記動作設定部により記憶される設定動作データは、送信時に前記携帯端末のデータ処理部により当該設定動作データと関連付けられた識別情報が前記機器側通信部が属する家庭電気機器の識別情報と一致することが確認されるように構成され、
前記携帯端末のデータ処理部は、前記機器側通信部から受信した前記機器側通信部が属する家庭電気機器の識別情報と送信しようとしている設定動作データに関連付けられた識別情報とが一致する場合に、当該設定動作データを送信するよう構成されている、請求項１２に記載の家庭電気機器の動作設定システム。
【請求項１４】
前記家庭電気機器の機器側通信部は、前記動作設定部に記憶された設定動作データを送信するときに、自身が属する家庭電気機器の識別情報を更に送信するよう構成され、
前記携帯端末のデータ処理部は、前記設定動作データに前記識別情報を関連付けて前記データ記憶部に記憶させ、且つ、前記データ記憶部に記憶された設定動作データを前記端末側第１通信部によって送信するときに、該設定動作データに関連付けられた前記識別情報を更に送信するように構成され、
前記機器側通信部により受信され且つ前記動作設定部により記憶される設定動作データは、受信時に前記機器側通信部により当該設定動作データと関連付けられた識別情報が前記機器側通信部が属する家庭電気機器の識別情報と一致することが確認されるように構成され、
前記機器側通信部は、前記設定動作データと共に受信した識別情報が前記自身が属する家庭電気機器の識別情報と一致する場合に、該受信した設定動作データを前記動作設定部によって記憶させるように構成されている、請求項１２に記載の家庭電気機器の動作設定システム。
【請求項１５】
前記携帯端末の入力部は、前記データ記憶部に記憶された前記設定動作データを選択する選択情報を伴って前記動作設定指令を入力するように構成され、
前記携帯端末のデータ処理部は、前記入力部から前記選択情報を伴って前記設定動作データ取得指令が入力されると、前記端末側第１通信部によって前記データ記憶部に記憶された設定情報のうちの前記選択情報によって選択される前記設定動作データを前記端末側第１通信部によって送信するように構成されている、請求項１２乃至１４の何れかに記載の家庭電気機器の動作設定システム。
【請求項１６】
前記入力部は、前記データ記憶部に記憶される設定動作データをユーザが識別するための設定動作データ識別情報を入力することができるように構成され、
前記携帯端末のデータ処理部は、前記受信した設定動作データ、前記識別情報及び前記入力部から入力された設定動作データ識別情報を互いに関連付けて前記データ記憶部に記憶させるように構成されている、請求項１５に記載の家庭電気機器の動作設定システム。
【請求項１７】
前記家庭電気機器の機器側通信部は、前記携帯端末から設定動作データ送信要求を受信すると、前記記憶された設定動作データを暗号化して送信し、且つ、前記携帯端末から暗号化された設定動作データを受信すると、該受信した暗号化された設定動作データを復号化した上でこれを前記動作設定部によって記憶させることによって、該受信した設定動作データにより定義された動作を実行されるべき前記家庭電気機器の動作として設定するように構成されており、
前記携帯端末のデータ処理部は、前記端末側第１通信部によって前記家庭電気機器から前記暗号化された設定動作データを受信すると、該受信した暗号化された設定動作データを前記データ記憶部に記憶させ、且つ前記入力部から動作設定指令が入力されると、前記データ記憶部に記憶された暗号化された設定動作データを前記端末側第１通信部によって送信するように構成されている、請求項１２乃至１６の何れかに記載の家庭電気機器の動作設定システム。
【請求項１８】
ネットワークを介して接続されるサーバを備え、
前記携帯端末は、前記ネットワークに接続する端末側第２通信部を備え、
前記携帯端末のデータ処理部は、前記端末側第１通信部によって前記家庭電気機器から設定動作データを受信すると、前記設定動作データを前記端末側第２通信部及び前記ネットワークを介して前記サーバに送信し、
前記サーバは、前記設定動作データを受信すると、前記設定動作データを記憶するように構成されている、請求項１２乃至１７の何れかに記載の家庭電気機器の動作設定システム。
【発明の詳細な説明】
【技術分野】
【０００１】
本発明は、家庭電気機器の動作設定システムに関し、特に、携帯端末を用いて家庭電気機器の動作を設定するシステムに関するものである。
【背景技術】
【０００２】
従来、使用頻度の高い操作を登録しておき、登録された操作を必要な時に呼び出して再利用することができる家庭電気機器が知られている。【０００３】
例えば、特許文献１に開示されたエレクトロニクス機器では、その遠隔操作装置の登録キーと操作キーとを交互に押し下げることによって操作内容が登録される。そして、タイトル選択キーを操作して登録された操作を呼び出すと、登録された操作が実行される。
【先行技術文献】
【特許文献】
【０００４】
【特許文献１】特開平６−３３５０６４号公報
【発明の概要】
【発明が解決しようとする課題】
【０００５】
近年、家庭電気機器の多機能化に伴い、各家庭電気機器において、多数の機能の中から使用頻度の高い操作を登録し、この登録された操作を必要な時に呼び出して再利用する機能を有する家庭電気機器が増加している。しかしながら、従来の家電機器は、使用頻度の高い操作を登録する手順及び登録された操作を呼び出す手順が機器毎に異なっており、操作方法を覚えにくく、煩雑であった。
【課題を解決するための手段】
【０００６】
本発明のある形態に係る、家庭電気機器の動作設定システムは、１以上の家庭電気機器と、近距離無線通信により前記１以上の家庭電気機器と接続される携帯端末と、を備え、各前記家庭電気機器は、前記家庭電気機器のある動作を定義するデータを記憶することによって当該データで定義される動作を実行されるべき動作として設定する動作設定部と、ユーザが操作して実行されるべき動作を前記動作設定部によって設定するための操作部と、前記設定された動作（以下、設定動作という）を定義するデータ（以下、設定動作データという）に従って該設定動作を実行するよう前記家庭電気機器を制御する機器制御部と、前記携帯端末の端末側第１通信部と前記近距離無線通信を行うための機器側通信部と、を備え、前記携帯端末は、前記家庭電気機器の機器側通信部と前記近距離通信を行うための前記端末側第１通信部と、ユーザが設定動作データ取得指令と動作設定指令とを入力するための入力部と、前記入力部から入力された設定動作データ取得指令又は動作設定指令に応じてデータを処理するデータ処理部と、前記データ処理部で処理されたデータを記憶するデータ記憶部と、を備え、前記家庭電気機器の機器側通信部は、接続要求を受信した場合において、前記携帯端末から設定動作データ送信要求を受信すると、前記記憶された設定動作データを送信し、前記携帯端末から前記設定動作データ及び識別情報の双方又は設定動作データのみを受信すると、該受信した設定動作データを前記動作設定部によって記憶させることによって、該受信した設定動作データにより定義された動作を、実行されるべき前記家庭電気機器の動作として設定し、且つ、所定の場合に自身が属する家庭電気機器の識別情報を送信するように構成されており、前記携帯端末のデータ処理部は、前記入力部から設定動作データ取得指令が入力されると、前記端末側第１通信部によって前記接続要求を送信し、前記端末側第１通信部によって前記家庭電気機器から設定動作データ及び前記識別情報を受信すると、該受信した設定動作データ及び前記識別情報を互いに関連付けて前記データ記憶部に記憶させ、且つ前記入力部から動作設定指令が入力されると、前記端末側第１通信部によって前記接続要求を送信し、且つ前記データ記憶部に記憶された互いに関連付けられた設定動作データ及び識別情報の双方又は設定動作データのみを前記端末側第１通信部によって送信するように構成されており、且つ前記機器側通信部により受信され且つ前記動作設定部により記憶される設定動作データは、送信時に前記携帯端末のデータ処理部により又は受信時に前記機器側通信部により、当該設定動作データと関連付けられた識別情報が前記機器側通信部が属する家庭電気機器の識別情報と一致することが確認されるように構成されている。
【発明の効果】
【０００７】
本発明は、以上に説明した構成を有し、複数の家庭電気機器において同一の操作手順で使用頻度の高い動作設定を容易に登録することができ、更に、同一の操作手順でこの登録された動作設定を容易に呼び出すことができるという効果を奏する。【０００８】
本発明の上記目的、他の目的、特徴、及び利点は、添付図面参照の下、以下の好適な実施態様の詳細な説明から明らかにされる。
【図面の簡単な説明】
【０００９】
【図１】本発明の実施の形態１に係る家庭電気機器の動作設定システムの構成を示す機能ブロック図である。
【図２】本発明の実施の形態１に係る家庭電気機器の動作設定システムにおいて、設定動作データ取得指令が入力された場合の動作例１を示すフローチャートである。
【図３】本発明の実施の形態１に係る家庭電気機器の動作設定システムにおいて、動作設定指令が入力された場合の動作例１を示すフローチャートである。
【図４】本発明の実施の形態１に係る家庭電気機器の動作設定システムにおいて、設定動作データ取得指令が入力された場合の動作例２を示すフローチャートである。
【図５】本発明の実施の形態２に係る家庭電気機器の動作設定システムにおいて、設定動作データ取得指令が入力された場合の動作例を示すフローチャートである。
【図６】本発明の実施の形態２に係る家庭電気機器の動作設定システムにおいて、動作設定指令が入力された場合の動作例を示すフローチャートである。
【図７】本発明の実施の形態３に係る家庭電気機器の動作設定システムの構成を示す機能ブロック図である。
【図８】本発明の実施の形態４に係る家庭電気機器の動作設定システムにおいて、設定動作データ取得指令が入力された場合の動作例を示すフローチャートである。
【図９】本発明の実施の形態４に係る家庭電気機器の動作設定システムにおいて、動作設定指令が入力された場合の動作例を示すフローチャートである。
【図１０】本発明の実施例１に係る洗濯機の操作パネルを示す図である。
【図１１】本発明の実施例１に係る携帯端末の入力部を備えるタッチパネルを示す図であり、設定動作データ取得指令が入力された場合におけるタッチパネルの画面表示の遷移を示す図である。
【図１２】本発明の実施例１に係る携帯端末の入力部を備えるタッチパネルを示す図であり、動作設定指令が入力された場合におけるタッチパネルの画面表示の遷移を示す図である。
【図１３】本発明の実施例２に係る照明のリモートコントローラを示す図である。
【発明を実施するための形態】
【００１０】
本発明の実施の形態に係る家庭電気機器の動作設定システムは、１以上の家庭電気機器と、近距離無線通信により前記１以上の家庭電気機器と接続される携帯端末と、を備え、各前記家庭電気機器は、前記家庭電気機器のある動作を定義するデータを記憶することによって当該データで定義される動作を実行されるべき動作として設定する動作設定部と、ユーザが操作して実行されるべき動作を前記動作設定部によって設定するための操作部と、前記設定された動作（以下、設定動作という）を定義するデータ（以下、設定動作データという）に従って該設定動作を実行するよう前記家庭電気機器を制御する機器制御部と、前記携帯端末の端末側第１通信部と前記近距離無線通信を行うための機器側通信部と、を備え、前記携帯端末は、前記家庭電気機器の機器側通信部と前記近距離通信を行うための前記端末側第１通信部と、ユーザが設定動作データ取得指令と動作設定指令とを入力するための入力部と、前記入力部から入力された設定動作データ取得指令又は動作設定指令に応じてデータを処理するデータ処理部と、前記データ処理部で処理されたデータを記憶するデータ記憶部と、を備え、前記家庭電気機器の機器側通信部は、接続要求を受信した場合において、前記携帯端末から設定動作データ送信要求を受信すると、前記記憶された設定動作データを送信し、前記携帯端末から前記設定動作データ及び識別情報の双方又は設定動作データのみを受信すると、該受信した設定動作データを前記動作設定部によって記憶させることによって、該受信した設定動作データにより定義された動作を、実行されるべき前記家庭電気機器の動作として設定し、且つ、所定の場合に自身が属する家庭電気機器の識別情報を送信するように構成されており、前記携帯端末のデータ処理部は、前記入力部から設定動作データ取得指令が入力されると、前記端末側第１通信部によって前記接続要求を送信し、前記端末側第１通信部によって前記家庭電気機器から設定動作データ及び前記識別情報を受信すると、該受信した設定動作データ及び前記識別情報を互いに関連付けて前記データ記憶部に記憶させ、且つ前記入力部から動作設定指令が入力されると、前記端末側第１通信部によって前記接続要求を送信し、且つ前記データ記憶部に記憶された互いに関連付けられた設定動作データ及び識別情報の双方又は設定動作データのみを前記端末側第１通信部によって送信するように構成されており、且つ前記機器側通信部により受信され且つ前記動作設定部により記憶される設定動作データは、送信時に前記携帯端末のデータ処理部により又は受信時に前記機器側通信部により、当該設定動作データと関連付けられた識別情報が前記機器側通信部が属する家庭電気機器の識別情報と一致することが確認されるように構成されている。
【００１１】
この構成によれば、各家庭電気機器に携帯端末をタッチすることによって、動作設定を携帯端末に登録することができ、各家庭電気機器において同一の操作手順で使用頻度の高い動作設定を容易に登録することができる。更に、各家庭電気機器に携帯端末をタッチすることによって、前記登録された動作設定を呼び出すことができる。したがって、複数の家庭電気機器において同一の操作手順でこの登録された動作設定を容易に呼び出すことができる。
【００１２】
前記家庭電気機器の動作設定システムにおいて、前記携帯端末のデータ処理部は、前記接続要求を送信した場合に前記機器側送信部から受信した前記機器側通信部が属する家庭電気機器の識別情報と送信しようとしている設定動作データに関連付けられた識別情報とが一致する場合に、当該設定動作データを送信するよう構成されていてもよい。
【００１３】
この構成によれば、送信時に携帯端末のデータ処理部により、設定動作データと関連付けられた識別情報が機器側通信部が属する家庭電気機器の識別情報と一致することが確認されるように構成されているので、異なる機器に誤って設定動作データが送信されることを防ぐことができ、家庭電気機器の誤動作を防止することができる。
【００１４】
前記家庭電気機器の動作設定システムにおいて、前記機器側通信部は、前記設定動作データと共に受信した識別情報が前記自身が属する家庭電気機器の識別情報と一致する場合に、該受信した設定動作データを前記動作設定部によって記憶させるように構成されていてもよい。
【００１５】
この構成によれば、受信時に家庭電気機器の機器側通信部により、設定動作データと関連付けられた識別情報が機器側通信部が属する家庭電気機器の識別情報と一致することが確認されるように構成されているので、異なる機器に誤って設定動作データが送信されることを防ぐことができ、家庭電気機器の誤動作を防止することができる。
【００１６】
前記家庭電気機器の動作設定システムにおいて、前記携帯端末の入力部は、前記データ記憶部に記憶された前記設定動作データを選択する選択情報を伴って前記動作設定指令を入力するように構成され、前記携帯端末のデータ処理部は、前記入力部から前記選択情報を伴って前記設定動作データ取得指令が入力されると、前記端末側第１通信部によって前記接続要求を送信し、且つ前記データ記憶部に記憶された設定情報のうちの前記選択情報による選択される前記設定動作データ及びこれに関連付けられた識別情報を前記端末側第１通信部によって送信するように構成されていてもよい。
【００１７】
この構成によれば、設定動作を選択することができる。
【００１８】
前記家庭電気機器の動作設定システムにおいて、前記入力部は、前記データ記憶部に記憶される設定動作データをユーザが識別するための設定動作データ識別情報を入力することができるように構成され、前記家庭電気機器の動作設定システムにおいて、前記携帯端末のデータ処理部は、前記受信した設定動作データ、前記識別情報及び前記入力部から入力された設定動作データ識別情報を互いに関連付けて前記データ記憶部に記憶させるように構成されていてもよい。
【００１９】
この構成によれば、設定動作データ識別情報に基づいて設定動作を選択することができる。
【００２０】
前記家庭電気機器の動作設定システムにおいて、前記家庭電気機器の機器側通信部は、前記携帯端末から設定動作データ送信要求を受信すると、前記記憶された設定動作データを暗号化して送信し、且つ、前記携帯端末から暗号化された設定動作データを受信すると、該受信した暗号化された設定動作データを復号化した上でこれを前記動作設定部によって記憶させることによって、該受信した設定動作データにより定義された動作を実行されるべき前記家庭電気機器の動作として設定するように構成されており、前記携帯端末のデータ処理部は、前記端末側第１通信部によって前記家庭電気機器から前記暗号化された設定動作データ及び前記識別情報を受信すると、該受信した暗号化された設定動作データ及び前記識別情報を互いに関連付けて前記データ記憶部に記憶させ、且つ前記入力部から動作設定指令が入力されると、前記端末側第１通信部によって前記接続要求を送信し、且つ前記データ記憶部に記憶された互いに関連付けられた暗号化された設定動作データ及び識別情報の双方又は設定動作データのみを前記端末側第１通信部によって送信するように構成されていてもよい。
【００２１】
この構成によれば、携帯端末において設定動作データが書き換えられることを防止することができる。
【００２２】
前記家庭電気機器の動作設定システムにおいて、ネットワークを介して接続されるサーバを備え、前記携帯端末は、前記ネットワークに接続する端末側第２通信部を備え、前記携帯端末のデータ処理部は、前記入力部から設定動作データ取得指令が入力されると、前記互いに関連付けられた動作設定データ及び識別情報を前記端末側第２通信部及び前記ネットワークを介して前記サーバに送信し、前記サーバは、前記互いに関連付けられた動作設定データ及び識別情報を受信すると、前記互いに関連付けられた動作設定データ及び識別情報を記憶するように構成されていてもよい。
【００２３】
この構成によれば、携帯端末の故障等によって設定動作データが破損することを防止できる。
【００２４】
以下、本発明の実施の形態を、図面を参照しながら説明する。
【００２５】
なお、以下では全ての図面を通じて同一又は相当する要素には同一の参照符号を付して、その重複する説明を省略する。
【００２６】
（実施の形態１）
［構成］
図１は、家庭電気機器の動作設定システム１００の構成を示す機能ブロック図である。
【００２７】
家庭電気機器の動作設定システム１００は、１以上の家庭電気機器１と、携帯端末２とを備える。携帯端末２は、近距離無線通信(Near Field Communication)により１以上の家庭電気機器１と接続される。
【００２８】
近距離無線通信とは、電波の到達距離が短い（数メートル程度）無線通信であり、両者を接近又は接触させて通信を行う。例えば電波の到達距離が長い（数十メートル〜数百メートル程度）Ｗｉ−Ｆｉによる無線ＬＡＮ通信においては、家庭電気機器１及び携帯端末２から発せられた信号が到達する範囲に他の無線ＬＡＮ通信機器が存在する可能性が高いため、携帯端末２において接続先を選択し、選択された家庭電気機器１と携帯端末２との間で機器毎に付与される機器の固有の識別情報を互いに確認する手順（認証）を経た上で１対１のデータの送受信が実現される。しかし、近距離無線通信においては、家庭電気機器１及び携帯端末２から発せられた信号が到達する範囲に他の近距離無線通信機器が存在しないように電波の到達距離を規定することにより、携帯端末２において接続先を選択し、機器毎に付与される固有の識別情報を互いに確認する手順（認証）を経ることなく、携帯端末２を家庭電気機器１に接近又は接触させることにより接続先が特定され、１対１のデータの送受信が実現される。したがって、例えばユーザが携帯端末２において接続先の選択を誤り、その結果、意図しない機器の動作設定の取得が行われたり、意図しない機器に対する動作設定の呼び出しが行われたりすることを防止することができる。しかし、これに限られるものではなく、機器毎に付与される固有の識別情報を確認する手順を経て、データの送受信を行ってもよい。
【００２９】
各家庭電気機器１は、動作設定部１０と、操作部１１と、機器制御部１２と、機器側通信部１４と、機器本体部１５と、を備える。家庭電気機器１として、電子レンジ、洗濯機、照明、ハードディスクレコーダーが例示されるが、これに限られない。また、家庭電気機器１には、家庭電気機器１の本体と有線又は無線により接続される機器（例えば、リモートコントローラー）が含まれてもよい。
【００３０】
動作設定部１０は、家庭電気機器１のある動作を定義する(define)データ（以下、動作データという場合がある）を記憶することによって、家庭電気機器１がこの動作データで定義される動作を家庭電気機器１によって実行されるべき動作として設定する。ここで、「実行されるべき動作」とは、家庭電気機器１が動作している状態においてリアルタイムで実行される動作及び次に実行される動作と、次に家庭電気機器１が起動された場合に実行されるべき動作と、を含む。この設定機能は、例えば、動作設定部１０が複数の動作データを記憶する記憶部とこの記憶部に記憶された当該複数の動作データのうちから実行すべき１つの動作データを特定する制御部とを備えることによって実現することができる。この特定動作として、例えば、操作部１１からユーザの操作によって、記憶部に記憶された複数の動作データのいずれか１つを選択する選択指令が入力され、制御部が選択指令で選択された動作データを実行すべき１つの動作データとして特定する予約動作が挙げられる。なお、この制御部の機能を機器制御部１２が有するように構成してもよい。また、例えば、動作設定部１０が１つのみの動作データを記憶する記憶部を備え、機器制御部１２がこの記憶部に記憶された動作データによって定義される動作を実行するよう構成することによっても上述の設定機能を実現することができる。１つのみの動作データを記憶する記憶部は、例えば、メモリの所定の１つの記憶領域に逐次動作データを上書きして記憶するよう構成することによって実現できる。
【００３１】
家庭電気機器１のある動作を定義するデータには、家庭電気機器１の単一の動作を定義するデータのみならず、家庭電気機器１が予め規定された順序（同時を含む）に従って実行する複数の動作を定義するデータを含む。以下では、この設定された動作を設定動作といい、設定動作を定義するデータを設定動作データという。
【００３２】
操作部１１は、ユーザが操作して、実行されるべき動作を動作設定部１０によって設定するためのものである。即ち、操作部１１のユーザによる操作は、操作部１１及び動作設定部１０との協働動作により、家庭電気機器１の動作を定義するデータに変換されて動作設定部１０に記憶され、家庭電気機器１によって実行されるべき動作として設定される。操作部１１として、ボタン、ダイヤル、タッチパネル等が例示されるがこれに限られない。
【００３３】
機器制御部１２は、動作設定部１０に設定された設定動作データに従ってこの設定動作を実行するよう家庭電気機器１の機器本体部１５を制御する。なお、動作設定部１０に記憶された設定動作データが複数の動作を定義するデータである場合、機器制御部１２は、設定動作データによって定義される複数の動作を設定動作データによって規定された順序又は予め規定された順序（同時を含む）に従って実行する。
【００３４】
そして、動作設定部１０及び機器制御部１２が機器側制御器１３を構成している。機器側制御器１３は、例えば、演算部と記憶部とを有する制御器で構成される。制御器はマイクロコントローラ、ＣＰＵ、ＭＰＵ、論理回路、ＰＬＣ (Programmable Logic Controller)等で構成される。機器側制御器１３は、集中制御を行う単独の制御器で構成してもよく、分散制御を行う複数の制御器で構成してもよい。例えば、機器制御部１２と動作設定部１０とを、単独の制御器及びこれに格納されたプログラムで実現してもよく、互いに協働する２つの制御器でそれぞれ実現してもよい。
【００３５】
機器側通信部１４は、携帯端末２の端末側第１通信部２０と近距離無線通信を行う。機器側通信部１４として、例えば通信部及びこの通信部を制御する通信制御部を備えた無線インターフェースモジュールが例示されるがこれに限られない。例えば、通信機器と、上述の機器側制御器１３に格納された当該通信機器を制御するプログラムによって実現される制御部と、によって構成してもよい。
【００３６】
そして、機器側通信部１４は、携帯端末２から接続要求を受信した場合において、設定動作データ送信要求を受信すると、記憶された設定動作データを送信する。補足すると、接続要求に応答することによって携帯端末２と機器側通信部１４との間に通信が確立され、その後、所定の処理に関する通信が行われる。機器側通信部１４は、所定の場合に、自身が属する家庭電気機器１の識別情報を送信するように構成されている。「家庭電気機器１の識別情報」には、当該家庭電気機器１自体の識別情報と当該機器側通信部１４の識別情報との双方が含まれる。所定の場合とは、設定動作データの送信と関連する場合及び後述する携帯端末２側における識別情報の一致確認と関連する場合である。設定動作データの送信と関連する場合に、機器側通信部１４は、自身が属する家庭電気機器１の識別情報を送信するが、送信する契機（trigger)は、接続要求及び設定動作データ送信要求のいずれであってもよい。接続要求に応じて当該識別情報を送る態様が「認証」であってもよい。また、携帯端末２側から識別情報送信要求を送信し、これに応答するようにして機器側通信部１４が識別情報を送信するよう構成してもよい。携帯端末２側における識別情報の一致確認と関連する場合にも、機器側通信部１４は、自身が属する家庭電気機器１の識別情報を送信するが、送信する契機として、例えば、接続要求及び後述する識別情報送信要求が挙げられる。
【００３７】
そして、機器側通信部１４は、携帯端末２から設定動作データ及び識別情報の双方又は設定情報のみを受信すると、受信した設定動作データを動作設定部１０によって記憶させ、これによって家庭電気機器１によって実行されるべき動作として設定する。
【００３８】
携帯端末２は、端末側第１通信部２０と、入力部２１と、データ処理部２２と、データ記憶部２３と、を備える。携帯端末２として、携帯電話（特に、タッチパネルを備えたいわゆるスマートフォン）、家庭電気機器１の本体と有線又は無線により接続される機器（例えば、リモートコントローラー）、及び本発明の機能に関する機能以外の機能を有さない専用携帯端末が例示されるがこれに限られない。また、携帯端末は、常時携帯される端末に限られず、携帯可能な端末であればよい。
【００３９】
端末側第１通信部２０は、家庭電気機器１の機器側通信部１４と近距離無線通信を行う。端末側第１通信部２０として、例えばＮＦＣリーダ／ライタモジュールが例示されるがこれに限られない。例えば、通信機器と、後述する制御器に格納された当該通信機器を制御するプログラムによって実現される制御部と、によって構成してもよい。
【００４０】
入力部２１は、ユーザが設定動作データ取得指令及び動作設定指令を入力するものである。入力部２１として、ボタン、ダイヤル、タッチパネルが例示されるがこれに限られない。
【００４１】
データ処理部２２は、入力部２１から入力された設定動作データ取得指令及び動作設定指令に応じてデータを処理する。
【００４２】
そして、データ処理部２２は、入力部２１から設定動作データ取得指令が入力されると、端末側第１通信部２０によって接続要求を送信する。
【００４３】
また、データ処理部２２は、端末側第１通信部２０によって家庭電気機器１から設定動作データ及び識別情報を受信すると、この受信した設定動作データ及び前記識別情報を互いに関連付けてデータ記憶部２３に記憶させる。
【００４４】
更に、データ処理部２２は、入力部２１から動作設定指令が入力されると、端末側第１通信部２０によって接続要求を送信し、データ記憶部２３に記憶された互いに関連付けられた設定動作データ及び識別情報の双方又は設定情報のみを端末側第１通信部２０によって送信するように構成されている。
【００４５】
このようにデータ処理部２２は、入力部２１から入力された設定動作データ取得指令及び動作設定指令に応じてデータを処理する。データ処理部２２は、例えば、後述する制御器の演算部で構成される。
【００４６】
データ記憶部２３は、データ処理部２２で処理されたデータを記憶する。データ記憶部２３は、例えば、後述する制御器のＲＯＭ及びＲＡＭ等の記憶部で構成される。
【００４７】
なお、データ記憶部２３は、受信した設定動作データをそのまま記憶することができるように構成されていてもよい。
【００４８】
そして、データ処理部２２及びデータ記憶部２３が端末側制御器２４を構成する。端末側制御器２４は、例えば、演算部と記憶部とを有する制御器で構成され、データ処理部２２及びデータ記憶部２３が、それぞれ、当該演算部及び記憶部で構成される。制御器は、例えば、マイクロコントローラ、ＣＰＵ、ＭＰＵ、論理回路、ＰＬＣ等で構成される。
【００４９】
そして、機器側通信部１４により受信され且つ動作設定部１０により記憶される設定動作データは、送信時に携帯端末２のデータ処理部２２により又は受信時に家庭電気機器１の機器側通信部１４により、設定動作データと関連付けられた識別情報が機器側通信部１４が属する家庭電気機器１の識別情報と一致することが確認される。これによって、異なる機器に誤って設定動作データが送信されることを防ぐことができ、機器の誤動作を防止することができる。
【００５０】
送信時に携帯端末２のデータ処理部２２により設定動作データと関連付けられた識別情報が機器側通信部１４が属する家庭電気機器１の識別情報と一致することが確認されるとは、例えば、携帯端末２のデータ処理部２２は、入力部２１から動作設定指令が入力されると、データ処理部２２は、端末側第１通信部２０から接続要求を送信し、且つ、端末側第１通信部２０によって家庭電気機器１の識別情報を受信すると、データ記憶部２３に記憶された識別情報と受信した識別情報とが一致するか否かを判断することである。上述のように、接続要求とは別に識別情報送信要求を送信し、これに応じて機器側通信部１４が識別情報を送信するように構成してもよい。そして、受信した家庭電気機器１の識別情報とデータ記憶部２３に記憶された識別情報とが一致すると判断すると、携帯端末２のデータ処理部２２は、端末側第１通信部２０によって接続要求を送信し、データ記憶部２３に記憶された互いに関連付けられた設定動作データを端末側第１通信部２０によって送信する。
【００５１】
一方、受信時に家庭電気機器１の機器側通信部１４により設定動作データと関連付けられた識別情報が機器側通信部１４が属する家庭電気機器１の識別情報と一致することが確認されるとは、例えば、家庭電気機器１の機器側通信部１４は、携帯端末２から識別情報及び設定動作データを受信すると、受信した識別情報と自身が属する家庭電気機器１の識別情報とが一致するか否かを判断することである。そして、家庭電気機器１の機器側通信部１４は、受信した家庭電気機器１の識別情報とデータ記憶部２３に記憶された識別情報とが一致すると判断すると、受信した設定動作データを動作設定部１０によって記憶させ、受信した設定動作データにより定義された設定動作が、次に家庭電気機器１が起動される場合に実行されるべき家庭電気機器１の動作として設定される。
【００５２】
次に、以上のように構成された家庭電気機器の動作設定システムの動作例を説明する。以下では、識別情報の一致確認を携帯端末２側で行う態様（動作例１）と家庭電気機器１側で行う態様（動作例２）とに分けて説明する。
【００５３】
［動作例１］
図２は、本発明の実施の形態１に係る家庭電気機器の動作設定システムにおいて、設定動作データ取得指令が入力された場合の動作例１を示すフローチャートである。
【００５４】
まず、上記の構成の家庭電気機器の動作設定システム１００において、携帯端末２の入力部２１から設定動作データ取得指令が入力された場合の動作例を図２を参照して説明する。なお、この動作例１は、送信時に携帯端末２のデータ処理部２２により設定動作データと関連付けられた識別情報が機器側通信部１４が属する家庭電気機器１の識別情報と一致することが確認される動作例である。
【００５５】
まず、ユーザが操作部１１を通常の手順に従って操作し、家庭電気機器１の動作を設定する。これによって、設定動作を定義する設定動作データが動作設定部に記憶され、実行されるべき動作として設定される（ステップＳ１００）。
【００５６】
次に、ユーザが携帯端末２の入力部２１を操作して当該入力部２１から設定動作データ取得指令が入力され（ステップＳ１０５においてＹｅｓ）、更にユーザが所望の家庭電気機器１に携帯端末２をタッチする（もしくは接近させる）と、携帯端末２のデータ処理部２２は、端末側第１通信部２０によって接続要求を送信する。更に、データ処理部２２は、端末側第１通信部２０によって、設定動作データ送信要求，及び識別情報送信要求を送信する（ステップＳ１１０）。送信要求，設定動作データ送信要求及び識別情報送信要求は、単一のコマンドとして送信されてもよく、また、複数のコマンドとして送信されてもよい。
【００５７】
次に、家庭電気機器１の機器側通信部１４は、携帯端末２から接続要求、設定動作データ送信要求を受信すると、動作設定部１０に記憶された設定動作データを送信する。ここで、設定動作データ（次に実行されるべき動作として設定された動作を定義するデータ）は、１つであるので、携帯端末２側で送信すべき設定動作データを指定する必要がなく、設定動作データを送信する構成が従来例に比べて簡素化される。また、機器側通信部１４は、自身が属する家庭電気機器１の識別情報を送信する（ステップＳ１１５）。これらのコマンド応答は、単一のコマンド応答として送信されてもよく、また、複数のコマンド応答として送信されてもよい。応答するタイミングも任意である。
【００５８】
次に、携帯端末２のデータ処理部２２は、端末側第１通信部２０によって家庭電気機器１から設定動作データ及び識別情報を受信すると、この受信した設定動作データ及び前記識別情報を互いに関連付けてデータ記憶部２３に記憶させる（ステップＳ１２０）。これによって、家庭電気機器１の設定動作が携帯端末２に登録される。
【００５９】
図３は、本発明の実施の形態１に係る家庭電気機器の動作設定システムにおいて、動作設定指令が入力された場合の動作例１を示すフローチャートである。
【００６０】
次に、上記の構成の家庭電気機器の動作設定システム１００において、携帯端末２の入力部２１から動作設定指令が入力された場合の動作例を図３を参照して説明する。
【００６１】
まず、ユーザが携帯端末２の入力部２１を操作し、当該入力部２１から動作設定指令が入力され（ステップＳ１５０においてＹｅｓ）、更にユーザが家庭電気機器１に携帯端末２をタッチする（もしくは接近させる）と、データ処理部２２は、端末側第１通信部２０から接続要求を送信する。更に、データ処理部２２は、端末側第１通信部２０によって、識別情報送信要求を送信する（ステップＳ１５５）。接続要求及び識別情報送信要求は、単一のコマンドとして送信されてもよく、また、複数のコマンドとして送信されてもよい。
【００６２】
次に、家庭電気機器１の機器側通信部１４は、自身が属する家庭電気機器１の識別情報を送信する（ステップＳ１６０）。なお、携帯端末２による識別情報送信要求を省略し、機器側通信部１４が、接続要求に応答するようにして(responsively) 自身が属する家庭電気機器１の識別情報を送信するように構成してもよい。
【００６３】
次に、携帯端末２のデータ処理部２２は、端末側第１通信部２０によって家庭電気機器１の識別情報を受信すると、この受信した識別情報とデータ記憶部２３に記憶された識別情報とが一致するか否かを判断する（ステップＳ１６５）。
【００６４】
そして、携帯端末２のデータ処理部２２は、受信した家庭電気機器１の識別情報とデータ記憶部２３に記憶された識別情報とが一致すると判断すると（ステップＳ１６５においてＹＥＳ）、携帯端末２のデータ処理部２２は、端末側第１通信部２０によって、データ記憶部２３に記憶され、当該識別情報に関連付けられた設定動作データを送信する（ステップＳ１７０）。
【００６５】
一方、携帯端末２のデータ処理部２２は、受信した家庭電気機器１の識別情報とデータ記憶部２３に記憶された識別情報とが一致しないと判断すると（ステップＳ１６５においてＮＯ）、所定のエラー処理を行う（ステップＳ１６６）。
【００６６】
このように、機器側通信部１４により受信され且つ動作設定部１０により記憶される設定動作データは、送信時に携帯端末２のデータ処理部２２により、設定動作データと関連付けられた識別情報が機器側通信部１４が属する家庭電気機器１の識別情報と一致することが確認されるように構成されている。
【００６７】
次に、家庭電気機器１の機器側通信部１４は、携帯端末２から設定動作データを受信すると、受信した設定動作データを動作設定部１０によって記憶させ、受信した設定動作データにより定義された設定動作が、次に家庭電気機器１が起動される場合に実行されるべき家庭電気機器１の動作として設定される（ステップＳ１７５）。これによって、携帯端末２に登録された設定動作を呼び出すことができる。
【００６８】
なお、上述の制御では、携帯端末２において、接続要求に続く所望の処理が遂行された後、適宜なタイミングで機器側通信部１４との接続が切断される。これは、以降の実施形態及び実施例でも同様である。
【００６９】
次に、家庭電気機器１が起動されると（ステップＳ１８０においてＹＥＳ）、機器制御部１２は、動作設定部１０に記憶された設定動作データに従って設定動作を実行するよう家庭電気機器１の機器本体部１５を制御する（ステップＳ１８５）。
【００７０】
なお、ステップＳ１８５において、家庭電気機器１が動作中である場合には当該設定された動作が実行される。
【００７１】
上記の構成によれば、設定動作データ取得指令を入力するように携帯端末２を操作し、当該携帯端末２をユーザが動作設定を登録しようとする家庭電気機器１にタッチする（または接近させる）ことにより、ユーザが動作設定を登録しようとする家庭電気機器１を特定し、ユーザが家庭電気機器１の操作部１１を通常の手順に従って操作して設定した設定動作データが自動的に取得されて携帯端末２に記憶される。それによって、当該動作設定を携帯端末２に登録することができる。また、動作設定指令を入力するように携帯端末２を操作し、当該携帯端末２をユーザが動作設定を呼び出そうとする家庭電気機器１にタッチする（または接近させる）ことにより、ユーザが動作設定を呼び出そうとする家庭電気機器１を特定し、この登録された設定動作データが自動的に特定された家庭電気機器１に送信されて当該設定動作データによって定義された動作が設定される。それによって、携帯端末２に登録された前記動作設定を呼び出すことができる。したがって、各家庭電気機器１に携帯端末２をタッチすることによって、動作設定を携帯端末２に登録することができ、各家庭電気機器１において同一の操作手順で使用頻度の高い動作設定を容易に登録することができる。更に、各家庭電気機器１に携帯端末２をタッチすることによって、前記登録された動作設定を呼び出すことができる。したがって、複数の家庭電気機器１において同一の操作手順でこの登録された動作設定を容易に呼び出すことができる。
【００７２】
また、機器側通信部１４により受信され且つ動作設定部１０により記憶される設定動作データは、送信時に携帯端末２のデータ処理部２２により、設定動作データと関連付けられた識別情報が機器側通信部１４が属する家庭電気機器１の識別情報と一致することが確認されるように構成されているので、異なる機器に誤って設定動作データが送信されることを防ぐことができ、家庭電気機器の誤動作を防止することができる。
【００７３】
［動作例２］
図４は、本発明の実施の形態１に係る家庭電気機器の動作設定システムにおいて、動作設定指令が入力された場合の動作例２を示すフローチャートである。
【００７４】
動作例２は、受信時に家庭電気機器１の機器側通信部１４により設定動作データと関連付けられた識別情報が機器側通信部１４が属する家庭電気機器１の識別情報と一致することが確認される動作例である。
【００７５】
携帯端末２の入力部２１から設定動作データ取得指令が入力された場合の動作例は、上記動作例１と同様であるので、その説明を省略する。
【００７６】
上記の構成の家庭電気機器の動作設定システムにおいて、携帯端末２の入力部２１から動作設定指令が入力された場合の動作例を図４を参照して説明する。
【００７７】
まず、ユーザが携帯端末２の入力部２１を操作し、当該入力部２１から動作設定指令が入力され（ステップＳ２００においてＹｅｓ）、更にユーザが家庭電気機器１に携帯端末２をタッチする（もしくは接近させる）と、データ処理部２２は、端末側第１通信部２０から接続要求を送信する。更に、データ処理部２２は、端末側第１通信部２０によって、互いに関連付けられてデータ記憶部２３に記憶されている識別情報及び設定動作データを送信する（ステップＳ２０５）。接続要求，識別情報及び設定動作データは、単一のコマンドとして送信されてもよく、また、複数のコマンドとして送信されてもよい。
【００７８】
次に、家庭電気機器１の機器側通信部１４は、携帯端末２から識別情報及び設定動作データを受信すると、受信した識別情報と自身が属する家庭電気機器１の識別情報とが一致するか否かを判断する（ステップＳ２１０）。
【００７９】
そして、家庭電気機器１の機器側通信部１４は、受信した家庭電気機器１の識別情報とデータ記憶部２３に記憶された識別情報とが一致すると判断すると（ステップＳ２１０においてＹＥＳ）、受信した設定動作データを動作設定部１０によって記憶させ、受信した設定動作データにより定義された設定動作が、次に家庭電気機器１が起動される場合に実行されるべき家庭電気機器１の動作として設定される（ステップＳ２１５）。
【００８０】
一方、携帯端末２のデータ処理部２２は、受信した家庭電気機器１の識別情報とデータ記憶部２３に記憶された識別情報とが一致しないと判断すると（ステップＳ２１０においてＮＯ）、所定のエラー処理を行う（ステップＳ２１１）。
【００８１】
このように、機器側通信部１４により受信され且つ動作設定部１０により記憶される設定動作データは、受信時に家庭電気機器１の機器側通信部１４により、設定動作データと関連付けられた識別情報が機器側通信部１４が属する家庭電気機器１の識別情報と一致することが確認されるように構成されている。
【００８２】
次に、家庭電気機器１が起動されると（ステップＳ２２０においてＹＥＳ）、機器制御部１２は、動作設定部１０に記憶された設定動作データに従って設定動作を実行するよう家庭電気機器１の機器本体部１５を制御する（ステップＳ２２５）。
【００８３】
なお、ステップＳ２２５において、家庭電気機器１が動作中である場合には当該設定された動作が実行される。
【００８４】
上記の構成によれば、機器側通信部１４により受信され且つ動作設定部１０により記憶される設定動作データは、受信時に家庭電気機器１の機器側通信部１４により、設定動作データと関連付けられた識別情報が機器側通信部１４が属する家庭電気機器１の識別情報と一致することが確認されるように構成されているので、異なる機器に誤って設定動作データが送信されることを防ぐことができ、家庭電気機器の誤動作を防止することができる。
【００８５】
（実施の形態２）
以下では実施の形態２の構成、動作について、実施の形態１との相違点を中心に述べる。
【００８６】
［構成］
実施の形態２の携帯端末２の入力部２１は、データ記憶部２３に記憶される設定動作データをユーザが識別するための設定動作データ識別情報を入力することができるように構成されている。
【００８７】
また、実施の形態２の携帯端末２は、受信した設定動作データ、識別情報、及び入力部２１から入力された設定動作データ識別情報を互いに関連付けてデータ記憶部２３に記憶させるように構成されている。
【００８８】
これによって、ユーザは設定動作データに関連付けられた設定動作データ識別情報を参照することにより、この設定動作データに係る設定動作の内容を知ることができる。
【００８９】
更に、実施の形態２の携帯端末２の入力部２１は、データ記憶部２３に記憶された設定動作データを選択する選択情報を伴って動作設定指令を入力するように構成されている。
【００９０】
また、実施の形態２の携帯端末２のデータ処理部２２は、入力部２１から選択情報を伴って設定動作データ取得指令が入力されると、端末側第１通信部２０によって接続要求を送信し、且つデータ記憶部２３に記憶された設定情報のうち、選択情報によって選択される設定動作データ及びこれに関連付けられた識別情報を端末側第１通信部２０によって送信するように構成されている。
【００９１】
これによって、ユーザは、選択した設定動作データに係る設定動作を家庭電気機器１が実行されるべき家庭電気機器の動作として設定することができる。
【００９２】
［動作例］
図５は、本発明の実施の形態２に係る家庭電気機器の動作設定システムにおいて、設定動作データ取得指令が入力された場合の動作例を示すフローチャートである。
【００９３】
まず、ステップＳ１００からステップＳ１１５が順に実行されるが、これらは実施の形態のステップＳ１００からステップＳ１１５と同様であるので、同じ符号を付してその説明を省略する。
【００９４】
そして、ステップＳ１１５の後、携帯端末２のデータ処理部２２は、端末側第１通信部２０によって家庭電気機器１から設定動作データ及び識別情報を受信し、更に、入力部２１から設定動作データ識別情報が入力されると（ステップＳ３００）、受信した設定動作データ及び識別情報と、設定動作データ識別情報とを互いに関連付けてデータ記憶部２３に記憶させる（ステップＳ３０５）。
【００９５】
図６は、本発明の実施の形態２に係る家庭電気機器の動作設定システムにおいて、動作設定指令が入力された場合の動作例を示すフローチャートである。
【００９６】
次に、上記の構成の家庭電気機器の動作設定システム１００において、携帯端末２の入力部２１から動作設定指令が入力された場合の動作例を図６を参照して説明する。
【００９７】
まず、携帯端末２のデータ処理部２２は、入力部２１にデータ記憶部２３に記憶された設定動作データを選択する選択情報を伴って動作設定指令が入力されるまで待機する（ステップＳ３５０）。
【００９８】
上記、動作設定指令が入力されると、実施の形態１におけるステップＳ１５５〜Ｓ１６０と同様であるので、その説明を省略する。
【００９９】
そして、携帯端末２のデータ処理部２２は、受信した家庭電気機器１の識別情報とデータ記憶部２３に記憶された識別情報とが一致すると判断すると（ステップＳ１６５においてＹＥＳ）、端末側第１通信部２０によって接続要求を送信する。更に、携帯端末２のデータ処理部２２は、端末側第１通信部２０によって、データ記憶部２３に記憶された互いに関連付けられた設定動作データのうち、選択情報を伴って動作設定指令が入力された設定動作データを送信する（ステップＳ３７０）。
【０１００】
一方、携帯端末２のデータ処理部２２は、受信した家庭電気機器１の識別情報とデータ記憶部２３に記憶された識別情報とが一致しないと判断すると（ステップＳ３６５においてＮＯ）、実施の形態１と同様に所定のエラー処理を行う（ステップＳ１６６）。
【０１０１】
ステップＳ３７０の次にステップＳ１７５からステップＳ１８５が順に実行されるが、これらは実施の形態１のステップＳ１７５からステップＳ１８５と同様であるので、同じ符号を付してその説明を省略する。
【０１０２】
（実施の形態３）
図７は、本発明の実施の形態３に係る家庭電気機器の動作設定システムの構成を示す機能ブロック図である。
【０１０３】
実施の形態３に係る家庭電気機器の動作設定システム１００は、ネットワークを介して接続されるサーバ３０を備えている。
【０１０４】
また、実施の形態３に係る携帯端末２は、ネットワークに接続する端末側第２通信部３１を備えている。
【０１０５】
そして、携帯端末２のデータ処理部２２は、入力部２１から設定動作データ取得指令が入力され、端末側第１通信部２０によって家庭電気機器１から設定動作データ及び識別情報を受信すると、この受信した設定動作データ及び前記識別情報を互いに関連付けて端末側第２通信部３１及びネットワークを介してサーバ３０に送信する。なお、データ処理部２２は、設定動作データ及び前記識別情報を家庭電気機器１から受信してサーバ３０に送信するまでの間に、なんらかの記憶部（データ記憶部２３、バッファ等の一時記憶部（図示せず））に設定動作データ及び前記識別情報を記憶する。よって、実施の形態３においても、携帯端末２は、設定動作データ及び前記識別情報を記憶するための記憶部を備えている。
【０１０６】
そして、サーバ３０は、互いに関連付けられた動作設定データ及び識別情報を受信すると、受信した互いに関連付けられた動作設定データ及び識別情報を記憶する。
【０１０７】
これによって、携帯端末２の故障等によって設定動作データが破損することを防止できる。
【０１０８】
（実施の形態４）
実施の形態４に係る家庭電気機器１の機器側通信部１４は、携帯端末２から設定動作データ送信要求を受信すると、記憶された設定動作データを暗号化して送信する。
【０１０９】
そして、家庭電気機器１の機器側通信部１４は、携帯端末２から暗号化された設定動作データを受信すると、受信した暗号化された設定動作データを復号化した上でこれを動作設定部１０によって記憶させることによって、受信した設定動作データにより定義された動作を実行されるべき前記家庭電気機器の動作として設定する。
【０１１０】
また、実施の形態４に係る携帯端末２のデータ処理部２２は、端末側第１通信部２０によって家庭電気機器１から暗号化された設定動作データ及び識別情報を受信すると、受信した暗号化された設定動作データ及び識別情報を互いに関連付けてデータ記憶部２３に記憶させる。
【０１１１】
そして、携帯端末２のデータ処理部２２は、入力部２１から動作設定指令が入力されると、端末側第１通信部２０によって接続要求を送信し、且つデータ記憶部２３に記憶された互いに関連付けられた暗号化された設定動作データ及び識別情報の双方又は設定動作データのみを端末側第１通信部２０によって送信する。これによって、例えばセキュリティの確保が困難な携帯端末２において設定動作データが書き換えられることを防止することができる。
【０１１２】
［動作例］
図８は、本発明の実施の形態４に係る家庭電気機器の動作設定システムにおいて、設定動作データ取得指令が入力された場合の動作例を示すフローチャートである。
【０１１３】
まず、ステップＳ１００からステップＳ１１０が順に実行されるが、これらは実施の形態のステップＳ１００からステップＳ１１０と同様であるので、同じ符号を付してその説明を省略する。
【０１１４】
そして、ステップＳ１１０の後、家庭電気機器１の機器側通信部１４は、携帯端末２から設定動作データ送信要求を受信すると、動作設定部１０に記憶された設定動作データを暗号化する（ステップＳ４００）。
【０１１５】
次に、家庭電気機器１の機器側通信部１４は、この暗号化された設定動作データを送信する（ステップＳ４０５）。
【０１１６】
次に、携帯端末２のデータ処理部２２は、端末側第１通信部２０によって家庭電気機器１から設定動作データ及び識別情報を受信すると、この受信した暗号化された設定動作データ及び識別情報を互いに関連付けてデータ記憶部２３に記憶させる（ステップＳ４１０）。
【０１１７】
図９は、本発明の実施の形態４に係る家庭電気機器の動作設定システムにおいて、動作設定指令が入力された場合の動作例を示すフローチャートである。
【０１１８】
次に、上記の構成の家庭電気機器の動作設定システム１００において、携帯端末２の入力部２１から動作設定指令が入力された場合の動作例を図６を参照して説明する。
【０１１９】
実施の形態１のステップＳ１５０からステップＳ１６５、及びステップＳ１６６は、実施の形態４においても同様であるので、同じ符号を付してその説明を省略する。
【０１２０】
そして、ステップＳ１６５において、携帯端末２のデータ処理部２２は、受信した家庭電気機器１の識別情報とデータ記憶部２３に記憶された識別情報とが一致すると判断すると（ステップＳ１６５においてＹＥＳ）、携帯端末２のデータ処理部２２は、端末側第１通信部２０によって、データ記憶部２３に記憶され、当該識別情報に関連付けられた暗号化された設定動作データを送信する（ステップＳ４５０）。
【０１２１】
次に、家庭電気機器１の機器側通信部１４は、携帯端末２から設定動作データを受信すると、受信した暗号化された設定動作データを復号化する（ステップＳ４５５）。
【０１２２】
次に、復号化した設定動作データを動作設定部１０によって記憶させることによって、受信した設定動作データにより定義された動作が実行されるべき前記家庭電気機器の動作として設定される（ステップＳ４６０）。
【０１２３】
ステップＳ４６０の次にステップＳ１７５からステップＳ１８５が順に実行されるが、これらは実施の形態１のステップＳ１７５からステップＳ１８５と同様であるので、同じ符号を付してその説明を省略する。
【０１２４】
（さらに別の実施の形態）
上記実施形態において、携帯端末２のデータ処理部２２は、設定動作データで定義される設定動作を理解せずに、設定動作データをデータ記憶部２３に記憶させるよう構成してもよい。これによって、各家庭電気機器１に応じて異なる命令体系の影響を受けずに、動作設定を登録することができ、更にこの登録された動作設定を呼び出すことができる。
【０１２５】
なお、上記全実施の形態は、互いに相手を排除しない限り、互いに組み合わせてもよい。
【０１２６】
以下、本発明に係る具体的な実施例について、図面を参照しながら詳細に説明する。
（実施例１）
実施例１は、洗濯機の動作設定を行うシステムである。
【０１２７】
図１０は、本発明の実施例１に係る洗濯機（家庭電気機器１）の操作パネル１１０を示す図である。図１１は、本発明の実施例１に係る携帯端末２の入力部２１を備えるタッチパネル１３０を示す図であり、設定動作データ取得指令が入力された場合におけるタッチパネル１３０の画面表示の遷移を示す図である。
【０１２８】
本実施例において、家庭電気機器１は洗濯機であり、携帯端末２は携帯電話である。
【０１２９】
家庭電気機器１の機器側通信部１４は、ＲＦＩＤモジュールであり、家庭電気機器１内に組み込まれている。このＲＦＩＤモジュールは、後述する外部リーダ／ライタからみるとＲＦタグとして動作する一方、家庭電気機器１の機器制御部１２からみると、データの送受信を行うための一時的な記憶部として動作する。
【０１３０】
家庭電気機器１は、図１０に示すように、操作パネル１１０を備える。操作パネル１１０は、設定ボタン１１１と、電源ボタン１１８と、起動／一時停止ボタン１１９と、通信領域１２０とを備えている。
【０１３１】
設定ボタン１１１は、操作部１１（図１参照）を構成し、ユーザがこれらを操作して設定動作を動作設定部１０に設定する。本実施例において、動作設定部１０に設定する設定動作は、運転モード（洗濯運転のみ、乾燥運転のみ、洗濯及び乾燥運転），プリセットされた運転内容（おまかせ洗濯コース、念入り仕上げ洗濯コース、毛布洗濯コース等），洗い、すすぎ、脱水及び乾燥運転の詳細内容に関する設定の１以上の組合せである。
【０１３２】
電源ボタン１１８は、ユーザがこれを操作することによって、家庭電気機器１の電源を入れたり、切ったりすることができる。
【０１３３】
起動／一時停止ボタン１１９は、ユーザがこれを操作することによって、家庭電気機器１を起動したり、一時停止させたりすることができる。
【０１３４】
通信領域１２０は、その内側に機器側通信部１４のＲＦＩＤモジュールのアンテナが設けられ、ユーザが携帯端末２をこの領域にタッチすることによって近距離無線通信を行うことができる。
【０１３５】
携帯端末２の端末側第１通信部２０は、ＲＦタグに対するデータの書き込み及び読み出しを行う外部リーダ／ライタであり、家庭電気機器１の機器側通信部１４と近距離無線通信を行う。
【０１３６】
携帯端末２は、タッチパネル１３０を有する。タッチパネル１３０は、入力部２１（図１参照）を構成すると共に、ユーザに対する通知を行う表示部を構成する。
【０１３７】
上記の構成の家庭電気機器の動作設定システム１００において、設定動作データを取得する使用例を説明する。
【０１３８】
まず、家庭電気機器１の動作設定を行う。
【０１３９】
次に、携帯端末２にインストールされている家庭電気機器１の動作設定を行うためのプログラムを起動する。このプログラムの設定動作データ取得指令を入力するための初期画面を、図１１の（ａ）に示す。この初期画面には、「新規登録」と表示された設定動作データ取得指令を入力するボタン１５０が表示されている。
【０１４０】
次に、ユーザがこのボタンに触れた後、直ちに離す（以下、タップという。）と、図１１の（ｂ）に示す画面が表示され、携帯端末２の機器側通信部１４から接続要求が送信される。
【０１４１】
次に、ユーザが携帯端末２の端末側第１通信部２０を家庭電気機器１の通信領域１２０にタッチすると、接続要求，設定動作データ送信要求及び識別情報送信要求が送信され、これらの要求に対する家庭電気機器１の応答として、設定動作データ及び識別情報を受信する。
【０１４２】
そして、設定動作データ及び識別情報を受信すると、図１１の（ｃ）に示す画面が表示される。この場面には、文字情報の入力領域であるテキストボックス１５１と、「入力」と表示されたテキストボックス１５１に入力された文字情報を設定動作データ識別情報として設定するボタン１５２が表示されている。そして、ユーザがテキストボックス１５１に受信した設定動作データをユーザが識別するための事項を入力（本実施例においては、「洗濯予約（８時間後）」と入力）し、ボタン１５２をタップする。これによって、テキストボックス１５１に入力した文字情報が設定動作データ識別情報として設定されて図１１の（ｄ）に示す画面が表示され、携帯端末２に設定動作データが保存されたことがユーザに通知される。
【０１４３】
一方、設定動作データ及び識別情報の受信に失敗すると、図１１の（ｅ）に示す画面が表示される。
【０１４４】
次に、動作設定を行う場合の使用例を説明する。
【０１４５】
図１２は、本発明の実施例１に係る携帯端末２の入力部２１を備えるタッチパネル１３０を示す図であり、動作設定指令が入力された場合におけるタッチパネル１３０の画面表示の遷移を示す図である。
【０１４６】
携帯端末２の動作設定指令を入力するための初期画面を、図１２の（ａ）に示す。この初期画面には、設定動作データ識別情報が表示（本実施例においては「洗濯予約（８時間後）」と表示）されたボタン１６０と、「新規登録」と表示された設定動作データ取得指令を入力するボタン１６１が表示されている。ボタン１６０は、動作設定指令を入力するボタンである。一方、ボタン１６１は、設定動作データ取得指令を入力するボタンであり、このボタンをタップすると、図１２の（ｂ）に示す画面が表示され、その後の動作は、上述した通りであるので、その説明を省略する。
【０１４７】
次に、ユーザがボタン１６０をタップすると、図１２の（ｂ）に示す画面が表示される。この画面には、設定動作データ識別情報に基づく情報が表示される領域１６２と、「準備完了」と表示されたボタン１６３とが表示されている。
【０１４８】
次に、ユーザが領域１６２に表示された事項を確認した上でボタン１６３をタップすると、図１２の（ｃ）に示す画面が表示され、携帯端末２の機器側通信部１４から接続要求が送信される。
【０１４９】
次に、ユーザが携帯端末２の端末側第１通信部２０を家庭電気機器１の通信領域１２０にタッチすると、携帯端末２のデータ記憶部２３に記憶されている識別情報と家庭電気機器１の識別情報とが一致することが確認された後、設定動作データが家庭電気機器１に送信される。そして、設定動作データが家庭電気機器１の動作設定部１０に設定されると、設定動作データの送信に対する応答において、設定動作データの動作設定部１０への設定が完了したことが通知され、図１２の（ｄ）に示す画面が表示される。これによって、家庭電気機器１に設定動作データが設定されたことがユーザに通知される。
【０１５０】
そして、起動／一時停止ボタン１１９を押し下げると、設定された設定動作データに従って設定動作が機器制御部１２の制御によって実行される。
（実施例２）
実施例２は、照明の動作設定を行うシステムである。
【０１５１】
まず、本実施例と実施例２との相違点を中心に本実施例の構成を説明する。
【０１５２】
本実施例において、家庭電気機器１は照明であり、携帯端末２は実施例１と同様の携帯電話である。この照明は、照明本体と無線によって接続されるリモートコントローラを備える。
【０１５３】
図１３は、本発明の実施例２に係る照明（家庭電気機器１）のリモートコントローラを示す図である。
【０１５４】
家庭電気機器１のリモートコントローラは、図１３に示すように、４つのプリセット設定電源オンボタン１７０と、光色調整ボタン１７１と、明るさ調整ボタン１７４と、電源オフボタン１７２と、通信領域１７３とを備えている。
【０１５５】
4つのプリセット設定電源オンボタン１７０は、これが押し下げられることにより予め設定された光色で照明を点灯させる。
【０１５６】
光色調整ボタン１７１は、照明が点灯している状態でこれが押し下げられることにより、照明の光色を変更する。
【０１５７】
明るさ調整ボタン１７４は、照明が点灯している状態でこれが押し下げられることにより、照明の明るさを変更する。
【０１５８】
電源オフボタン１７２は、これが押し下げられることにより照明を消灯させる。
【０１５９】
通信領域１７３は、実施例１の通信領域１２０と同様の構成であるので説明を省略する。
【０１６０】
次に、本実施例と実施例１との相違点を中心に本実施例の使用例を説明する。
【０１６１】
設定動作データを取得するときは、光色調整ボタン１７１及び明るさ調整ボタン１７４を用いて家庭電気機器１の動作設定を行う。本実施例において、動作設定部１０に設定する設定動作は、照明の光色及び明るさである。そして、本実施例では、照明が点灯している状態、即ち、家庭電気機器１が起動されている状態において、設定動作を動作設定部１０に設定する。これによって、照明の光色及び明るさを確認しながら動作設定を行うことができる。その他の設定動作データを取得するときの具体的な設定方法は、実施例１と同様であるので、その詳しい説明を省略する。
【０１６２】
次に、動作設定を行うときは、ユーザが照明が消灯している状態において携帯端末２の端末側第１通信部２０を家庭電気機器１の通信領域１２０にタッチすると、設定された光色及び明るさで照明が点灯する。また、照明が点灯している状態において携帯端末２の端末側第１通信部２０を家庭電気機器１の通信領域１２０に接近又は接触させると、設定された光色及び明るさに変更される。
【０１６３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１６４】
本発明の家庭電気機器の動作設定システムは、家庭電気機器の動作設定に用いるシステムとして有用である。
【符号の説明】
【０１６５】
１  家庭電気機器
２  携帯端末
１０  動作設定部
１１  操作部
１２  機器制御部
１３  機器側制御器
１４  機器側通信部
１５  機器本体部
２０  端末側第１通信部
２１  入力部
２２  データ処理部
２３  データ記憶部
２４  端末側制御器
１００  動作設定システム
【図１】
0005891383.tif 000002
【図２】
0005891383.tif 000003
【図３】
0005891383.tif 000004
【図４】
0005891383.tif 000005
【図５】
0005891383.tif 000006
【図６】
0005891383.tif 000007
【図７】
0005891383.tif 000008
【図８】
0005891383.tif 000009
【図９】
0005891383.tif 000010
【図１０】
0005891383.tif 000011
【図１１】
0005891383.tif 000012
【図１２】
0005891383.tif 000013
【図１３】
0005891383.tif 000014